(57)【要約】【課題】  生簀にて同種の水産物を複数保管する場合、個々を識別することが困難であった。【解決手段】  無線タグ（200）との交信を行う無線通信機能（300、300A）を有する情報処理装置（500）が、水産物（100）に付加され且つ識別情報を有する無線タグから該識別情報を取得し、該取得した識別情報と当該水産物に関する個体情報とを関連付けて登録する。さらに、登録を完了し生簀に放たれた複数の水産物の各無線タグに対し、ユーザから指定された識別情報を発信する。この発信を生簀にて捕捉した各無線タグが、当該識別情報と自己の識別情報とを比較し、該比較により両識別情報が対応するとき、その旨を発光によりユーザへ報知する。【選択図】      図１
2006014680.tif 000002
【特許請求の範囲】
【請求項１】
無線タグとの交信を行う無線通信機能を有する情報処理装置が、水産物に付加され且つ識別情報を有する無線タグから該識別情報を取得し、該取得した識別情報と当該水産物に関する個体情報とを関連付けて登録し、該登録を完了し生簀に放たれた複数の水産物の各無線タグに対し、ユーザから前記個体情報に基づき指定された識別情報を発信し、
前記発信を捕捉した前記各無線タグが、当該識別情報と自己の識別情報とを比較し、該比較において両識別情報が対応するとき、その旨を発光によりユーザへ報知することを特徴とする生簀水産物管理方法。
【請求項２】
前記情報処理装置が、各水産物について前記登録した個体情報をユーザにより選択可能に画面表示することを特徴とする請求項１記載の生簀水産物管理方法。
【請求項３】
前記情報処理装置が、生簀に放たれた複数の水産物の前記各無線タグに対し、前記識別情報の問い合わせを行い、該問い合わせに対する前記各無線タグからの応答の有無を判定し、該判定の結果、応答がない無線タグがあるとき、当該水産物が生簀に存在しない旨を該水産物の個体情報に記録することを特徴とする請求項１又は２記載の生簀水産物管理方法。
【請求項４】
複数の水産物のそれぞれに付加され且つ識別情報を有する複数の無線タグと、該各無線タグとの交信を行う無線通信手段を有する情報処理装置とを備え、
前記情報処理装置は、
前記各無線タグから前記無線通信手段により当該識別情報を取得し、該取得した識別情報と当該水産物に関する個体情報とを関連付けて登録する水産物登録部と、
前記登録を完了し生簀に放たれた複数の水産物の前記各無線タグに対し、ユーザから前記個体情報に基づき指定された識別情報を前記無線通信手段により発信するユーザ指定発信部とを有し、
前記各無線タグは、
生簀内で発光可能な発光手段と、前記ユーザ指定発信部による発信を捕捉したとき当該識別情報と自己の識別情報とを比較するＩＤ比較部と、該比較において両識別情報が対応するとき、その旨を前記発光手段の発光によりユーザへ報知する報知部とを有することを特徴とする生簀水産物管理システム。
【請求項５】
前記情報処理装置は、各水産物について前記記録した個体情報をユーザにより選択可能に画面表示する水産物表示部を有することを特徴とする請求項４記載の生簀水産物管理システム。
【請求項６】
前記情報処理装置は、生簀に放たれた複数の水産物の前記各無線タグに対し、前記識別情報の問い合わせを行い、該問い合わせに対する前記各無線タグからの応答の有無を判定する応答判定部と、該応答判定部により応答がない無線タグがあることが検知されたとき、当該水産物が生簀に存在しない旨を該水産物の個体情報に記録する生簀状況記録部とを有することを特徴とする請求項４又は５記載の生簀水産物管理システム。
【発明の詳細な説明】
【技術分野】
【０００１】
本発明は、活魚や蟹などの水産物を生簀（いけす）により管理するための方法に関し、特に、その管理に、至近距離の無線通信機能を有する無線タグを利用する方法に関する。
【背景技術】
【０００２】
従来、種々の物品に、いわゆるＲＦＩＤ（Radio Frequency Identification）タグと称される無線タグを取り付け、この無線タグに記録されている製品番号などの物品識別情報を非接触交信にて読み取ることにより、当該物品の管理を行う方法が知られている。また、このようなＲＦＩＤタグによる管理方法を応用して、魚や動物のような生き物を管理する技術が提案されており、その技術として、例えば、後述の特許文献１乃至３に記載のものがある。
【０００３】
特許文献１に記載の従来技術は、実験用の小動物にＲＦＩＤタグを取り付け、この小動物の行動領域を規定する実験用テーブルに圧電センサおよびＲＦＩＤセンサを２次元配列し、これによりテーブル上での小動物の行動を観測するというものである。また、特許文献２に記載の従来技術は、固有の識別コードを有するＲＦＩＤタグを犬や猫等の動物ペットの身体に装着し、該ＲＦＩＤタグの読み取り機と、タイマーに接続された餌供給手段とを含む餌ユニットをペットの居住区域に配置することにより、飼い主の不在時におけるペットの行動を把握し、行動に応じた自動給餌を行うというものである。
【０００４】
特許文献３に記載の従来技術は、釣り大会の放流対象となっている各魚に取り付けられている各無線タグに魚ＩＤを書き込んだ後、その魚が釣り上げられたとき、釣り人の携帯機によって、魚の無線タグにキャッチデータなどを書き込むとともに、この無線タグからＩＤを読み取る。その後、集計装置によって、各携帯機に記憶されているＩＤやキャッチデータなどを集計し、釣りの成果や魚の数量管理を行うというものである。
【特許文献１】特開２００２−０６５１０９号公報
【特許文献２】特開２００１−０２８９６１号公報
【特許文献３】特開２０００−２６２１９９号公報
【発明の開示】
【発明が解決しようとする課題】
【０００５】
ところで、魚類や甲殻類のような水産物を取り扱う市場あるいは料理店等では、商品である水産物を新鮮な状態で販売するために、それらを生きた状態で生簀にて保管し、顧客から注文を受ける都度、管理者や調理人が当該水産物を生簀から取り出して販売するという方法が採られる。しかしながら、生簀に同種の水産物が多数保管される場合は、それぞれの外観が類似することから、個々の入荷日や仕入先を識別し難くなる。よって、生簀から長期間取り出されず入荷日が古くなる、あるいは、特定の仕入先の水産物を他のものと分別できない等の不都合が生じる。
【０００６】
このような不都合を解消するために、例えば、生きた魚や動物などにＲＦＩＤタグを取り付ける上述の特許文献１乃至３の技術を利用し、生簀の水産物を管理することが考えられる。しかしながら、上記の各技術は、いずれも、特定の生物の行動や関連情報を把握しようとするものであるから、これらの技術を用いた場合は、販売の都度、水産物を生簀から１つずつ取り出して入荷日や仕入先を確認するといった作業を要する。そうすると、確認済の水産物を放つための他の生簀が必要になり、また、同一の水産物を生簀から頻繁に取り出すことは弱体化に繋がる。よって、上記の従来技術は、生簀の管理には不向きであると考えられる。
【０００７】
本発明は、上記課題に鑑みてなされたものであり、生簀にて保管する水産物を生簀から取り出すことなく識別する方法およびシステムを提供することを目的とする。
【課題を解決するための手段】
【０００８】
本発明に係る生簀水産物管理方法は、無線タグとの交信を行う無線通信機能を有する情報処理装置が、水産物に付加され且つ識別情報を有する無線タグから該識別情報を取得し、該取得した識別情報と当該水産物に関する個体情報とを関連付けて登録し、該登録を完了し生簀に放たれた複数の水産物の各無線タグに対し、ユーザから前記個体情報に基づき指定された識別情報を発信し、前記発信を捕捉した前記各無線タグが、当該識別情報と自己の識別情報とを比較し、該比較により両識別情報が対応するとき、その旨を発光によりユーザへ報知するという方法である。
【０００９】
本発明に係る生簀水産物管理システムは、複数の水産物のそれぞれに付加され且つ識別情報を有する複数の無線タグと、該各無線タグとの交信を行う無線通信手段を有する情報処理装置とを備え、前記情報処理装置は、前記各無線タグから前記無線通信手段により当該識別情報を取得し、該取得した識別情報と当該水産物に関する個体情報とを関連付けて登録する水産物登録部と、前記登録を完了し生簀に放たれた複数の水産物の前記各無線タグに対し、ユーザから前記個体情報に基づき指定された識別情報を前記無線通信手段により発信するユーザ指定発信部とを有し、前記各無線タグは、生簀内で発光可能な発光手段と、前記ユーザ指定発信部による発信を捕捉したとき当該識別情報と自己の識別情報とを比較するＩＤ比較部と、該比較により両識別情報が対応するとき、その旨を前記発光手段の発光によりユーザへ報知する報知部とを有する。
【発明の効果】
【００１０】
本発明によれば、たとえ生簀内に同種の水産物が多数存在しても、それらを生簀から取り出すことなく、所望の水産物を速やかに特定することができる。これにより、水産物が弱体化することが防止され、生簀内の鮮度を維持することができる。また、経営のコスト面では、弱体化に起因する在庫の廃棄損を低減することができる。
【発明を実施するための最良の形態】
【００１１】
［実施例］
以下、本発明の実施例について図面を用いて詳細に説明する。図１に、本発明に係る生簀水産物管理システムの構成を示す。実施例のシステム１０は、生簀１０Ａにて管理される水産物としての魚１００に取り付けられる無線タグであるＲＦＩＤタグ２００と、ＲＦＩＤタグ２００と交信するための無線通信手段であるＲＦＩＤリーダ３００およびハンディＲＦＩＤリーダ３００Ａと、これらのリーダ３００および３００Ａを具備する情報処理装置である管理端末５００とを備える。
【００１２】
ＲＦＩＤタグ２００には、識別情報であるＩＤが予め書き込まれており、システム１０のユーザは、管理対象の魚１００を生簀１０Ａへ放つ前に、この魚１００にＲＦＩＤタグ２００を取り付ける。取り付け場所は、例えば魚１００のヒレなど、魚１００の種類によって適宜調整する。また、ＲＦＩＤタグ２００の形状は、ヒレ等に穴を開けて取り付けることができる形状とする。
【００１３】
ＲＦＩＤリーダ３００は、図１に示すように、生簀１０Ａ内に林立するよう複数設置され、それぞれに複数設けられたアンテナ４００を介して、生簀１０Ａ内で魚１００のＲＦＩＤタグ２００と交信する役割を果たす。ＲＦＩＤリーダ３００には予め防水処理を施し、また、水中での交信感度を高めるために、各アンテナ４００を、より魚１００に接近可能な態様に設置する。具体的には、例えば図１に示すように、台座から垂直に伸びる支柱に沿って、複数の、図示の例では５個の、アンテナ４００を間隔をおいて配置し、これらの各アンテナ４００を、少なくとも隣接するもの同士が互いに異なる方向を向くように設置する。なお、各アンテナ４００の形状は、図示のものに限らないが、遊泳する魚１００に損傷を与え難い形状を採用することが望ましい。
【００１４】
ハンディＲＦＩＤリーダ３００Ａは、管理端末５００のユーザが利用するハンドヘルド型の読み取り機構であり、魚１００のＲＦＩＤタグ２００からＩＤを読み取る役割を果たす。
【００１５】
図２に、システム１０の構成ブロックを示す。ＲＦＩＤタグ２００は、アンテナ２１を介してＲＦＩＤリーダ３００と交信する送受信部２２と、ＩＤが格納されている記憶部２３と、従来知られたＬＥＤのような発光手段である発光部２４と、ＲＦＩＤタグ２００に電源を供給する電池である電源部２５と、ＲＦＩＤタグ２００の動作制御を行う制御部２６とを備える。制御部２６は、その機能構成として、自己のＩＤ、すなわち記憶部２３のＩＤと後述する手順においてＲＦＩＤリーダ３００から受信したＩＤとを比較するＩＤ比較部２６ａと、このＩＤ比較部２６ａの比較結果に基づき発光部２４に発光指示を出す報知部２６ｂとを有する。
【００１６】
本実施例では、水中における電波の著しい減衰を考慮して、電源部２５を有する電池搭載型のＲＦＩＤタグ２００を採用し、これにより、ＲＦＩＤリーダ３００に対する交信感度の強化を図っている。また、ＲＦＩＤリーダ３００との交信周波数は、生簀１０Ａでの透水性を考慮して極力低い周波数を採用することが望ましく、その周波数としては、例えば、１２５ｋＨｚあるいは１３．５６ＭＨｚを利用することが考えられる。
【００１７】
ＲＦＩＤリーダ３００は、図１に沿って説明した複数のアンテナ４００を介してＲＦＩＤタグ２００と交信する送受信部３１と、管理端末５００と交信するための通信部３２と、記憶部３３と、電源部３４と、ＲＦＩＤリーダ３００の動作制御を行う制御部３５とを備える。
【００１８】
管理端末５００は、生簀１０Ａ内のＲＦＩＤリーダ３００と交信するための通信部５１と、後述の生簀管理リストを記憶する記憶部５２と、管理端末５００の動作制御を行う制御部５３と、一般的なディスプレイ機構あるいはタッチパネル機構のような画面表示部５４とを備える。
【００１９】
管理端末５００の制御部５３は、その機能構成として、図２に示すように、魚１００のＲＦＩＤタグ２００からハンディＲＦＩＤリーダ３００ＡによりＩＤを取得し、このＩＤと魚１００の個体情報とを関連付けて記憶部５２に登録する水産物登録部５３ａと、登録された魚１００を選択するための生簀管理リストを画面表示部５４へ表示する水産物表示部５３ｂと、登録を終えて生簀１０Ａに放たれた魚１００に対し、ユーザ指定されたＩＤをＲＦＩＤリーダ３００を介して発信するユーザ指定発信部５３ｃとを有する。
【００２０】
さらに、本実施例の制御部５３は、後述の自動出庫処理のために、次の機能を有する。すなわち、図２に示すように、生簀１０Ａで管理される魚１００のＲＦＩＤタグ２００にＩＤの問い合わせを行い、その応答の有無を判定する応答判定部５３ｄと、判定の結果、応答がない無線タグがあることが検知されたとき、当該魚１００が生簀１０Ａに存在しない旨を記憶部５２に記録する生簀状況記録部５３ｅとを有する。
【００２１】
実施例のシステム１０の動作手順を説明する。以下の説明は、生簀１０Ａから取り出した魚１００を直ちに調理して顧客に提供する活魚料理店での手順を例に挙げたものである。まず、図３に示すシーケンス図に沿って、魚１００の登録処理を説明する。
【００２２】
活魚仲買人や活魚卸商に注文した魚が活魚料理店へ納品されると、生簀１０Ａの管理者は、入庫した魚１００一尾一尾にＲＦＩＤタグ２００を取り付ける。店舗の管理端末５００上では、図２に沿って説明した制御部５３の機能構成に対応する管理ソフトウェアが動作しており、その水産物登録部５３ａの作用により、管理端末５００は、ハンディＲＦＩＤリーダ３００ＡによりＲＦＩＤタグ２００のＩＤを問い合わせる（ステップＳ１、Ｓ２）。これは、管理者が、魚１００のＲＦＩＤタグ２００にハンディＲＦＩＤリーダ３００Ａを接近させることにより作用する。
【００２３】
問い合わせを受けたＲＦＩＤタグ２００は、その記憶部２３に書き込まれている自己のＩＤを、ハンディＲＦＩＤリーダ３００Ａを介して管理端末５００へ送信する（ステップＳ３、Ｓ４）。管理端末５００は、ＩＤを受信すると、このＩＤを、例えば図４に示すような登録画面に表示する（ステップＳ５）。図４の登録画面は、ハンディＲＦＩＤリーダ３００Ａにより読み取られたＩＤ「６１７９５４８２」に対応する魚１００について、その個体情報を入力する画面であり、図示の例では、個体情報として、入庫日の「２００４．３．１６」、種類の「たい」、仕入先の「Ｂ社」が入力されている。なお、入庫日は、管理端末５００の内部タイマが示す当日の日付を自動的に入力するようにしてもよい。
【００２４】
管理者が個体情報の入力を終えて、同図の「登録」ボタンを押下すると、水産物登録部５３ａは、入力内容を記憶部５２に登録する（ステップＳ６）。水産物表示部５３ｂは、水産物登録部５３ａによる登録が終了すると、その登録内容を反映させた図５に示すような生簀管理リストを画面表示部５４に表示させる。これにより、管理者は、現時点において生簀１０Ａに保管される魚１００を把握することができる。
【００２５】
図５に示す生簀管理リストは、先の登録画面にて入力される魚１００の種類をインデックスとして、ＩＤ、入庫日、仕入先および出庫日が記録され、また、各レコードごとに、後述の手順にて管理者が魚１００を選択するための「指定欄」が設けられたものである。図４に沿って説明したＩＤ「６１７９５４８２」に関する登録内容は、図中の矢印にて示すレコードに対応する。
【００２６】
レコードの配列順序は、図５に示す例のように、魚１００の「種類」別に、「入庫日」が古い順に並ぶように整列させることが望ましい。これにより、種類ごとの、より古い在庫を速やかに判別することができる。また、例えば生簀１０Ａの管理上、特定の仕入先の魚１００を指定したい場合は、図５の状態から「仕入先」のソート処理を行い、「Ａ社」や「Ｂ社」のような仕入先ごとにまとめて配列させる。なお、図示の例では、「たい」や「ひらめ」のように、異種の魚１００について一括的に表示したが、表示方法は図示の例に限らず、例えば、魚１００の数量が多い場合は、種類を選択する画面を設け、選択された種類のリストを個別に表示するようにしてもよい。
【００２７】
活魚料理店では、上記の登録処理を終えた各魚１００を生簀１０Ａに放ち、それぞれを生きた状態で保管する。
【００２８】
次に、図６に示すシーケンス図に沿って、生簀１０Ａから魚１００を取り出す際の手順を説明する。活魚料理店の管理者は、顧客から注文を受けると、管理端末５００に表示されている図５の生簀管理リストから当該魚１００を選択し、その「指定欄」にチェックを入力する。魚１００の選択にあたっては、生簀１０Ａ内の鮮度を保持するために、より古い在庫を取り出すよう選択することが望ましい。例えば、顧客から「たい」及び「ひらめ」を１匹ずつ注文された場合は、図５に示す例のように、現時点で選択可能であり且つ入庫日が最も古いレコード、すなわち「たい」についてはＩＤ「７４１２５８９６」、「ひらめ」についてはＩＤ「９６３２５８７４」の各レコードを選択する。
【００２９】
上記のような選択が行われると、管理端末５００のユーザ指定発信部５３ｃは、指定されたＩＤを含む点灯指示情報を、ＲＦＩＤリーダ３００を介して、生簀１０Ａ内の各魚１００に取り付けられているＲＦＩＤタグ２００に向けて発信する（ステップＳ１１、Ｓ１２）。点灯指示とは、当該ＩＤを持つＲＦＩＤタグ２００の報知部２６ｂを起動させるための情報である。また、管理端末５００は、点灯指示を発信したとき、生簀１０Ａ内で当該魚１００を検索していることを管理者に案内するための、図７に示すような画面を画面表示部５４に表示する。
【００３０】
一方、生簀１０Ａ内では、各魚１００のＲＦＩＤタグ２００がＲＦＩＤリーダ３００からの電波を捕捉するのを待機しており（ステップＳ１３）、ＲＦＩＤリーダ３００から発信される上記の点灯指示を捕捉したとき（ステップＳ１４）、ＲＦＩＤタグ２００は、ＩＤ比較部２６ａの作用により、受信したＩＤと、記憶部２３のＩＤとを比較する（ステップＳ１５）。その結果、両ＩＤが合致しない場合は、受信した点灯指示に応じることなく、ＲＦＩＤリーダ３００からの電波の捕捉を継続する。
【００３１】
また、上記比較の結果、両ＩＤが合致するとき、ＲＦＩＤタグ２００の報知部２６ｂが起動し、これによりＬＥＤのような発光部２４が点灯する（ステップＳ１６）。ここでは、生簀１０ＡにてＩＤ「７４１２５８９６」の「たい」、及び、ＩＤ「９６３２５８７４」の「ひらめ」に対応する各魚１００のＲＦＩＤタグ２００が点灯する。これにより、管理者は、生簀１０Ａ内に保管されている複数の魚１００の中から、指定した「たい」及び「ひらめ」を速やかに特定することができる。ＲＦＩＤタグ２００は、発光部２４を点灯させた旨をＲＦＩＤリーダ３００を介して管理端末５００へ通知する（ステップＳ１７、Ｓ１８）。
【００３２】
管理端末５００は、ＲＦＩＤタグ２００からの点灯通知を受けると、例えば図８に示すような画面を画面表示部５４に表示し（ステップＳ１９）、これにより、当該魚１００のＲＦＩＤタグ２００が点灯されていることを管理者に案内する。活魚料理店の管理者は、図示の画面により、選択した魚１００が点灯状態になったことを確認し、点灯中の当該魚１００を生簀１０Ａから取り出す。このとき、魚１００のＲＦＩＤタグ２００を外して保管することにより、このＲＦＩＤタグ２００を、新たに入荷された魚１００に再利用することができる。そして、管理端末５００の生簀管理リストに、「出庫日」が記録されると（ステップＳ２０）、当該魚１００の一連の管理が終了する。
【００３３】
上記ステップＳ２０の出庫記録は、管理者による手動入力により実施してもよいが、本実施例では、管理者の入力作業を必要としない自動出庫処理を行う。その手順を図９に示すフローチャートに沿って説明する。
【００３４】
管理端末５００の応答判定部５３ｄは、生簀１０Ａにおける各魚１００のＲＦＩＤタグ２００に対し、ＲＦＩＤリーダ３００を介して、定期的にＩＤの問い合わせを行う（ステップＡ１）。このＩＤの問い合わせは、図５の生簀管理リストにて選択可能なレコード、すなわち「指定欄」での選択が有効なレコードを対象とする。生簀１０Ａにて上記問い合わせを捕捉したＲＦＩＤタグ２００は、自己のＩＤをＲＦＩＤリーダ３００を介して管理端末５００へ送信する。
【００３５】
管理端末５００の応答判定部５３ｄは、生簀管理リストに基づき、各ＲＦＩＤタグ２００からの応答の有無を監視し、ＩＤの回答を得たＲＦＩＤタグ２００については（ステップＡ２：Ｙｅｓ）、当該魚１００が生簀１０Ａに存在するとの判断の元に、その旨を記録した後（ステップＡ３）、引き続きＩＤの問い合わせを行う。
【００３６】
また、例えば所定期間あるいは数回の問い合わせに対し、ＩＤの回答がないＲＦＩＤタグ２００については（ステップＡ２：Ｎｏ）、生簀状況記録部５３ｅが起動し、当該魚１００が生簀１０Ａに存在しないとの判断の元に、生簀管理リストの「出庫日」に、内部タイマが示す当日の日付を記録すると共に、「指定欄」に出庫済みである旨を記録する（ステップＡ４）。これにより、管理者に入力の手間を取らせることなく、出庫の旨を自動的に記録することができる。
【００３７】
以上説明した実施例のシステム１０によれば、生簀１０Ａにて保管する魚１００を取り出す際に、当該魚１００のＲＦＩＤタグ２００を点灯させることから、たとえ生簀１０Ａ内に同種の魚が多数存在しても、当該魚１００を速やかに特定することができる。また、その際、魚１００の入庫日などの個体情報を記録した生簀管理リストから当該魚１００を選択可能としたことにより、入庫日の古いものから順に出庫させることができる。これにより、入庫日が古いために弱体化した魚１００などが生簀１０Ａ内に滞留することを防止でき、ひいては、在庫の廃棄損を低減することができる。よって、入庫日ごとに別個の生簀を用意することなく、それらを１つの生簀１０Ａに混在させ、効率よく管理することが可能となる。
【００３８】
上記説明した実施例では、管理対象の水産物が「たい」や「ひらめ」のような海産魚類であったが、これに限らず、本発明は、蟹・えび・アワビなどの甲殻類、あるいは、うなぎ・ふな・鯉などの淡水生物等にも適用可能である。また、実施例のような活魚料理店に限らず、産地での生簀からの出荷や、仲卸の生簀からの出荷などの用途にも適用できる。
【００３９】
上記実施例では、ＲＦＩＤ２００を魚１００の入出庫管理に利用したが、本構成に警報装置を組み合わせることにより、活魚の盗難防止機能を追加することもできる。
【００４０】
また、生簀管理リストに、魚１００の弱体化情報や死亡情報を追加することにより、仕入元単位や種別単位で死亡率や弱体化率を集計することができ、その死亡率や弱体化率から、仕入元から納品される魚１００の品質を統計的に確認することができる。また、弱体化率や死亡率を利用して、魚種ごとの適正仕入量を調整することもできる。
【００４１】
上記説明した実施例では、生簀管理リストに基づく魚１００の選択を活魚料理店の管理者が行ったが、これに代えて、例えば客席にタッチパネルを用意し、顧客が生簀１０Ａを見ながらタッチパネルにより所望の魚１００を選択するという方法も好ましい運用例である。
【図面の簡単な説明】
【００４２】
【図１】本発明に係る生簀水産物管理システムの実施例の説明図である。
【図２】実施例のシステムの構成を示すブロック図である。
【図３】実施例の登録処理の手順を示すシーケンス図である。
【図４】実施例の登録画面の説明図である。
【図５】実施例の生簀管理リストの説明図である。
【図６】実施例の手順を示すシーケンス図である。
【図７】実施例の案内画面の説明図である。
【図８】実施例の案内画面の説明図である。
【図９】実施例の自動出庫処理の手順を示すフローチャートである。
【符号の説明】
【００４３】
１０  システム
１０Ａ  生簀
１００  魚
２００  ＲＦＩＤタグ
２１：アンテナ、２２：送受信部、２３：記憶部、２４：発光部、２５：電源部、２６：制御部、２６ａ：ＩＤ比較部、２６ｂ：報知部
３００  ＲＦＩＤリーダ
３１：送受信部、３２：通信部、３３：記憶部、３４：電源部、３５：制御部、４００：アンテナ
３００Ａ  ハンディＲＦＩＤリーダ
５００  管理端末
５１：通信部、５２：記憶部、５３：制御部、５４：画面表示部
５３ａ：水産物登録部、５３ｂ：水産物表示部、５３ｃ：ユーザ指定発信部、５３ｄ：応答判定部、５３ｅ：生簀状況記録部
【図１】
2006014680.tif 000003
【図２】
2006014680.tif 000004
【図３】
2006014680.tif 000005
【図４】
2006014680.tif 000006
【図５】
2006014680.tif 000007
【図６】
2006014680.tif 000008
【図７】
2006014680.tif 000009
【図８】
2006014680.tif 000010
【図９】
2006014680.tif 000011